(57)【特許請求の範囲】
【請求項１】
円筒部、上部、底部を有し、前記底部が前記円筒部内に向けて突出した円錐形である、円筒形の蒸気缶と、
円錐形の発熱体であって、その円錐面の表面に形成されたらせん状の溝に沿って、通電することで発熱する発熱部材を収容した発熱体と、
前記蒸気缶の上部に接続された蒸気導管と、
前記蒸気缶および前記蒸気導管を支持する架体と、を備えて構成される蒸気噴射式除草器具であって、
前記蒸気管に水を満たした状態で前記発熱部材に通電すると、前記発熱体が加熱し、前記蒸気缶内部の水を加熱することによって蒸気が発生し、この蒸気を前記蒸気導管を通じて前記蒸気導管の先端から送出することにより除草を行う、蒸気噴射式除草器具。
【請求項２】
前記蒸気缶が上部側方において前記蒸気導管と接続されており、前記蒸気缶の上部は、前記蒸気導管との接続部分に向かって偏って膨出した形状となっている、請求項１に記載の蒸気噴射式除草器具。
【請求項３】
前記架体は上部架体と下部架体とを有し、
前記蒸気缶と前記蒸気導管が前記下部架体に取り付けられており、前記蒸気導管は、前記蒸気缶に接続された第１部位と前記下部架体に下方に向けて平行に取り付けられた第２部位とを備える、請求項２に記載の蒸気噴射除草器具。
【発明の詳細な説明】
【技術分野】
【０００１】  本発明は、電熱により蒸気を発生させて噴射させることにより、除草の用途に使用可能な蒸気噴射式除草器具に関する。
【背景技術】
【０００２】  従来の除草器具は、火炎を噴射させることによって草を焼き枯らす方式のものが主流であった。
【発明が解決しようとする課題】
【０００３】  しかしながら、上述した従来の火炎噴射式の除草器具は、火気を使用するために危険が伴う。
【０００４】  本発明の目的は、火炎の使用に伴う危険がなく、かつ熱効率の良い除草器具を提供することである。
【課題を解決するための手段】
【０００５】  蒸気課題を解決するために、本発明の蒸気噴射式除草器具は、円錐形の底部を有する円筒形の蒸気缶と、発熱部材を巻き込んだ円錐形の発熱体と、前記蒸気缶上部に接続された蒸気導管と、前記蒸気缶および前記蒸気導管を支持する架体と、を備えて構成され、前記蒸気管に水を満たした状態で前記発熱部材に通電すると、前記発熱体が加熱し、前記蒸気缶内部の水を加熱することによって蒸気が発生し、この蒸気を前記蒸気導管を通じて前記蒸気導管の先端から送出することにより除草を行うことを特徴とする。
【図面の簡単な説明】
【０００６】
【図１】蒸気缶の一部分を破断して内部が見えるようにした側面図である。
【図２】図１の発熱部材を含む部位の部分断面図である。
【図３】図２の発熱体のＡ−Ａ側から見た底面図である。
【図４】発熱体の側面図であり、溝内に発熱部材が巻き込まれている状態を示す。
【図５】図４の発熱体の底面図である。
【図６】図１の蒸気缶と蒸気導管が架体に取り付けられた全体図である。
【図７】上部架体を示す図である。
【図８】図６のＣ−Ｃ断面図である。
【図９】下部架体を示す図である。
【発明を実施するための形態】
【０００７】  本発明の実施の形態を、図面を参照して説明する。蒸気噴射式除草器具は、図１に示す蒸気缶体Ａ−１を含む。図１は、一実施形態の蒸気噴射式除草器具の蒸気缶体Ａ−１の一部分を破断して内部が見えるようにした側面図である。蒸気缶体Ａ−１は、円筒形であって、円筒形の蒸気缶体Ａ−１の内部において上方に突出した円錐形の底部Ａ−２を備える。蒸気缶体Ａ−１と円錐形の底部Ａ−２とは、アーク溶接によって結合される（図２参照）。
【０００８】  蒸気缶体Ａ−１の上部側方には、蒸気導管３−１が接続される。また、蒸気缶体Ａ−１は、蒸気導管３−１との接続部分に向かって偏って膨出した形状Ｈ−１となっている。蒸気缶体Ａ−１の側面には、蒸気導管３−１との接続部分よりも下方に、注水孔Ｆ、水量計Ｄ−１が設けられ、さらに、下部側面には脱水孔Ｄ−２が設けられる。さらに、蒸気缶体Ａ−１の側面には、第１支持ブラケットがアーク溶接Ｘによって取り付けられている。
【０００９】  円錐形の底部Ａ−２の下面には、円錐形の発熱体Ｂが固着される。この発熱体Ｂは、セラミック等の電気絶縁体からなり、円錐形の本体Ｂ−１と、本体Ｂ−１の底部に側方にフランジ状に突出したベース部Ｂ−２を備えて構成される。円錐面の表面にはらせん状の溝Ｗが形成される。また、ベース部Ｂ−２には、２つの孔１０Ａ、１０Ｂが形成される。図４、図５を参照すると分かるように、溝Ｗには、電気回路Ｅが巻き込まれており、この電気回路Ｅは、底面Ｂ−２に設けられた孔１０Ａ、１０Ｂおよび本体Ｂ−１の上部に設けられた孔１０Ｃを介して溝Ｗ内に導入される。
【００１０】  図８〜１１を参照すると分かるように、架体は上部架体１と下部架体２を備えて構成される。上部架体１の上端には握りＰが設けられる。上部架体１の下端には第１接続部が形成される。
【００１１】  下部架体２の上端には第２接続部が形成される。  下部架体２には、下部架体２の長さ方向に対して垂直な貫通穴４が形成される。また、下部架体２には、一方の側面に第１支持ブラケット５が取り付けられ、対抗する側の側面に第２支持ブラケット５が設けられる。さらに、下部架体２の下端には、蒸気導管の先端を支持する第３支持ブランケット３が取り付けられる。下部架体２と第１支持ブラケット５、下部架体２と第３支持ブラケット３はそれぞれアーク溶接Ｘによって結合される。
【００１２】  上部架体１の第１接続部は下部架体２の第２接続部に嵌合し、第１接続部と第２接続部を貫通するように設けられたネジ穴Ｎ−２にネジＮ−１を挿通することによって、上部架体１と下部架体２が互いに連結される。上記構成により、非使用時にネジＮ−１を取り外して上部架体１と下部架体２に分割できる。これにより、持ち運びが容易になるとともに梱包時の大きさを小さくできる。
【００１３】  一端が蒸気缶体Ａ−１の上部側方に接続されている蒸気導管は、下部架体２の貫通穴４を下部架体２の中心軸に対して垂直に貫通したあと屈曲して下部架体２とほぼ平行になるように配置され、第２支持ブラケットにより指示・固定され、さらに、蒸気導管の先端は第３支持ブラケットにアーク溶接によって固定されている。
【００１４】  蒸気缶体内部に水を満たし、電気回路に通電することによって発熱部材Ｅに電流を流すと、発熱部材が加熱し、それによって発熱体Ｂが加熱される。それに伴い、蒸気缶体内の水が加熱されて蒸気が発生する。このとき、加熱体、および蒸気缶体の底部が円錐形となっているために、平面状の底に比べて表面積が大きく、熱効率が良好であるため、急速に蒸気が発生する。
【００１５】  蒸気缶体内部で発生した蒸気は、蒸気導管を通じて送り出され、蒸気導管の先端から矢印の方向に噴射され、除草を行うことができる。
【産業上の利用可能性】
【００１６】  本発明は、蒸気を噴射させることで除草を行う。本発明の蒸気噴射式除草器具は、農業用途や家屋周辺の除草の用途に使用できるだけでなく、公共道路歩道、コンクリートの隙間等の除草の用途にも使用可能である。
【図１】
0005938721.tif 000002
【図２】
0005938721.tif 000003
【図３】
0005938721.tif 000004
【図４】
0005938721.tif 000005
【図５】
0005938721.tif 000006
【図６】
0005938721.tif 000007
【図７】
0005938721.tif 000008
【図８】
0005938721.tif 000009
【図９】
0005938721.tif 000010